(57)【特許請求の範囲】
【請求項１】
上レールに両側に係止片を有する３条の摺動溝を平行に設け、各摺動溝の係止片に係止される係止溝を有する摺動部材を上レールの夫々の摺動溝に上レールの長手方向に摺動自在に装着すると共に各摺動部材に夫々引戸の上端を装着し、上レールの巾方向の中央に位置する摺動部材の長手方向の両端に夫々プーリを回転自在に装着すると共に両端のプーリ間に環状のワイヤを掛け回し、上レールの巾方向の両側に位置する摺動部材を夫々ワイヤに結合して成ることを特徴とする連動引戸。
【請求項２】
上記３枚の引戸や摺動部材を１組として上レールの両サイドに夫々配置して２組で６枚の引戸を開閉自在にして成ることを特徴とする請求項１記載の連動引戸。
【発明の詳細な説明】
【０００１】
【発明の属する技術分野】
本発明は複数の引戸を連動させて開閉するようにした連動引戸に関するものである。
【０００２】
【従来の技術】
従来、開口を３枚の引戸で開閉する場合、レールの３条のレール溝に夫々引戸を摺動自在に装着してあり、各引戸を移動操作して開口を開閉するようになっている。
【０００３】
【発明が解決しようとする課題】
ところが、上記従来例にあっては、開口を開閉する場合各引戸を夫々操作しなければならなく、開閉操作に手間がかかるという問題があった。
【０００４】
近年、この操作を簡単に行うために３枚の引戸を連動させて開閉するようにしたものも提案されているが、連動させる機構が外観上見えて外観が悪くなるという問題がある。
【０００５】
本発明は上記の点に鑑みてなされたものであり、３枚の引戸を連動させることができて開閉操作が容易にでき、しかも引戸を連動させるものでも外観よく納まって外観を向上できる連動引戸を提供することを課題とする。
【０００６】
【課題を解決するための手段】
上記課題を解決するために本発明の請求項１の連動引戸は、上レール１に両側に係止片１７，２３を有する３条の摺動溝２ａ，２ｂ，２ｃを平行に設け、各摺動溝２ａ，２ｂ，２ｃの係止片１７，２３に係止される係止溝１６，２２を有する摺動部材３ａ，３ｂ，３ｃを上レール１の夫々の摺動溝２ａ，２ｂ，２ｃに上レール１の長手方向に摺動自在に装着すると共に各摺動部材３ａ，３ｂ，３ｃに夫々引戸４ａ，４ｂ，４ｃの上端を装着し、上レール１の巾方向の中央に位置する摺動部材３ｂの長手方向の両端に夫々プーリ５を回転自在に装着すると共に両端のプーリ５間に環状のワイヤ６を掛け回し、上レール１の巾方向の両側に位置する摺動部材３ａ，３ｃを夫々ワイヤ６に結合して成ることを特徴とする。３枚の引戸４ａ，４ｂ，４ｃを連動させて開閉することができて開閉操作が容易にできる。３枚の引戸４ａ，４ｂ，４ｃを連動させる摺動部材３ａ，３ｂ，３ｃやプーリ５やワイヤ６が上レール１内に納まって外観上殆ど目立つことがなくて外観を向上できる。
【０００７】
また本発明の請求項２の連動引戸は、請求項１において、上記３枚の引戸４ａ，４ｂ，４ｃや摺動部材３ａ，３ｂ，３ｃを１組として上レール１の両サイドに夫々配置して２組で６枚の引戸４ａ，４ａ，４ｂ，４ｂ，４ｃ，４ｃを開閉自在にして成ることを特徴とする。両サイドに引戸４ａ，４ｂ，４ｃを開いたり、両サイドから引戸４ａ，４ｂ，４ｃを閉じたりできて連動する作用と相俟って６枚の引戸４ａ，４ａ，４ｂ，４ｂ，４ｃ，４ｃの開閉操作が容易にできる。
【０００８】
【発明の実施の形態】
図１乃至図７に示す例から述べる。壁８には引戸で開閉する開口９を設けてあり、開口９の上部及び側部内周には枠材１０を装着してあり、枠材１０と壁８との間の全周に亙って額縁１１を装着してある。上の枠材１０には枠材１０に埋設するように長手方向に亙って上レール１を装着してあり、床１２面には長手方向に亙って下レール１３を装着してある。上レール１内には３条の摺動溝２ａ，２ｂ，２ｃを平行になるように設けてあり、各摺動溝２ａ，２ｂ，２ｃには摺動部材３ａ，３ｂ，３ｃを摺動溝２ａ，２ｂ，２ｃの長手方向に摺動自在になるように装着してある。摺動部材３ａ，３ｃは両端の端部ブロック１４を連結板１５で連結して形成されており、端部ブロック１４の両側に設けた係止溝１６を摺動溝２ａ，２ｃの両側の係止片１７に摺動自在に係止してある。摺動部材３ａ，３ｂの一方の端部ブロック１４には連結部１８を一体に設けてあり、連結部１８には嵌合凹部１９を設けてある。摺動部材３ｂは両端の端部ブロック２０を連結板２１にて連結して形成されており、端部ブロック２０の上部の両側に設けた係止溝２２に摺動溝２ｂの上底近傍の係止片２３を摺動自在に係止してある。摺動部材３ｂの下面の両端には夫々プーリ５を装着してあり、両端のプーリ５間に環状のワイヤ６を掛け回してある。ワイヤ６に１８０°位相のずれた位置で球状の嵌合突部７を設けてある。また摺動部材３ａ，３ｃは連結部１８の嵌合凹部１９と嵌合突部７とを嵌合することでワイヤ６に連結してある。摺動部材３ａ，３ｂ，３ｃの両端の近傍には連結孔２４を穿孔してある。なお、図４，図５の例では上レール１の巾方向の両側の上部に夫々凹段部２５を設けてあるが、図１、図２、図３の例では凹段部２５を設けていない。
【０００９】
引戸４ａ，４ｂ，４ｃは戸框２６にガラスのような面板２７を装着して形成されている。引戸４ａ，４ｂ，４ｃの上部にはピンブロック２８を埋設して装着してあり、ピンブロック２８のピン２９をバネ３０にて上方に突出するように付勢してある。各摺動部材３ａ，３ｂ，３ｃの下には夫々引戸４ａ，４ｂ，４ｃが配置され、ピン２９を連結孔２４に挿入することで各摺動部材３ａ，３ｂ，３ｃに引戸４ａ，４ｂ，４ｃを取り付けてある。引戸４ａ，４ｂ，４ｃの下端には夫々戸車３１を装着してあり、下レール１３に設けた３条のレール溝３２に沿って戸車３１が転動して走行するようになっている。
【００１０】
上記のように３枚の引戸４ａ，４ｂ，４ｃが取り付けられるが、摺動部材３ａ，３ｂ，３ｃがプーリ５の回りに回動するワイヤ６にて連動して引戸４ａ，４ｂ，４ｃが連動して開閉する。このため例えば引戸４ｃを固定しておけば、引戸４ａを移動操作するだけで図６に示すように引戸４ａ，４ｂ，４ｃにて開口９を閉じたり、図７に示すように引戸４ａ，４ｂ，４ｃを開いたりできる。
【００１１】
また図８乃至図１０は他の例を示す。本例の場合、開口９は上記例の倍の巾であり、開口９の両側に３枚の引戸４ａ，４ｂ，４ｃを１組として左右対称になるように２組配置してあり、合計６枚の引戸４ａ，４ａ，４ｂ，４ｂ，４ｃ，４ｃを装着させてある。そして各３枚の引戸４ａ，４ｂ，４ｃが上記例と同様に連動させて取り付けてある。しかして、引戸４ｃ、４ｃを夫々固定しておけば、引戸４ａ，４ａを突き合わせるように移動させたとき、図８や図１０（ａ）のように開口９を閉じることができ、引戸４ａ，４ａが離れるように移動させたとき図９や図１０（ｂ）のように開口９を開放することができる。
【００１２】
【発明の効果】
本発明の請求項１の発明は、上レールに両側に係止片を有する３条の摺動溝を平行に設け、各摺動溝の係止片に係止される係止溝を有する摺動部材を上レールの夫々の摺動溝に上レールの長手方向に摺動自在に装着すると共に各摺動部材に夫々引戸の上端を装着し、上レールの巾方向の中央に位置する摺動部材の長手方向の両端に夫々プーリを回転自在に装着すると共に両端のプーリ間に環状のワイヤを掛け回し、上レールの巾方向の両側に位置する摺動部材を夫々ワイヤに結合しているので、３枚の引戸を連動させて開閉することができて開閉操作が容易にできるものであり、しかも３枚の引戸を連動させる摺動部材やプーリやワイヤが上レール内に納まって外観上殆ど目立つことがなくて外観を向上できるものである。
【００１３】
また本発明の請求項２の発明は、請求項１において、上記３枚の引戸や摺動部材を１組として上レールの両サイドに夫々配置して２組で６枚の引戸を開閉自在にしているので、両サイドに引戸を開いたり、両サイドから引戸を閉じたりできて連動する作用と相俟って６枚の引戸の開閉操作が容易にできるものである。
【図面の簡単な説明】
【図１】本発明の一例の要部の斜視図である。
【図２】同上の要部を示す平面図である。
【図３】同上の要部の縦断面図である。
【図４】同上の全体の一部省略縦断面図である。
【図５】図４の上レール部分を拡大せる断面図である。
【図６】同上の引戸を閉じた状態の正面図である。
【図７】同上の引戸を開いた状態の正面図である。
【図８】同上の他例の引戸を閉じた状態を示す正面図である。
【図９】同上の引戸を開いた状態を示す正面図である。
【図１０】同上の引戸の開閉を示し、（ａ）は引戸を閉じた状態の平面図、（ｂ）は引戸を開いた状態の平面図である。
【符号の説明】
１  上レール
２ａ，２ｂ，２ｃ  摺動溝
３ａ，３ｂ，３ｃ  摺動部材
４ａ，４ｂ，４ｃ  引戸
５  プーリ
６  ワイヤ
【図１】
0003726512.tif 000002
【図２】
0003726512.tif 000003
【図３】
0003726512.tif 000004
【図４】
0003726512.tif 000005
【図５】
0003726512.tif 000006
【図６】
0003726512.tif 000007
【図７】
0003726512.tif 000008
【図８】
0003726512.tif 000009
【図９】
0003726512.tif 000010
【図１０】
0003726512.tif 000011